(57)【要約】      （修正有）【課題】本発明は、２つ以上に分割することができ、親しい友人や家族との間で親愛の証として互いにシェアすることが可能な分割可能玩具を提供する。【解決手段】分割可能玩具１００の代表的な構成は、発泡樹脂で一体成形されていて、複数のブロック１０２，１０４からなり、各ブロック１０２，１０４を仕切るくびれ１０６が形成されていることを特徴とする。複数のブロックごとに完結した模様または絵柄が形成されていてもよい。複数のブロックごとにヒートン１０８が取り付けられていてもよい。【選択図】図１
2020103525.tif 000002
【特許請求の範囲】
【請求項１】
発泡樹脂で一体成形されていて、複数のブロックからなり、各ブロックを仕切るくびれが形成されていることを特徴とする分割可能玩具。
【請求項２】
前記複数のブロックごとに完結した模様または絵柄が形成されていることを特徴とする請求項１に記載の分割可能玩具。
【請求項３】
前記複数のブロックごとにヒートンが取り付けられていることを特徴とする請求項１または請求項２に記載の分割可能玩具。
【発明の詳細な説明】
【技術分野】
【０００１】
本発明は発泡樹脂製の玩具に関し、特にブロックごとに分割することが可能な分割可能玩具に関する。
【背景技術】
【０００２】
従来から、低反発性ポリウレタンフォームや、シリコン系重合体を基材とする発泡樹脂製の玩具が提供されている。特許文献１には、シリコン系重合体を基材樹脂とする発泡樹脂成形体が提案されている。特許文献１によれば、この発泡樹脂成形体は良好な触感、とりわけもちもち感があり、例えばキーホルダーやぬいぐるみなどに利用できると説明されている。
【先行技術文献】
【特許文献】
【０００３】
【特許文献１】特開２０１０−１００７６９号公報
【発明の概要】
【発明が解決しようとする課題】
【０００４】
従来から、親しい友人や家族などとの間で、同じ物や色違い・柄違いの物をおそろいで持つことが慣習として行われている。しかしながら、おそろいの物を持ったとしても、店舗に行けばさらに同様の物を購入することができる。すなわち、そのおそろいのものは唯一無二の物ではなく、特別のものであるという実感が薄いという課題がある。
【０００５】
そこで本発明は、２つ以上に分割することができ、親しい友人や家族との間で親愛の証として互いにシェアすることが可能な分割可能玩具を提供することを目的としている。
【課題を解決するための手段】
【０００６】
本発明にかかる分割可能玩具の代表的な構成は、発泡樹脂で一体成形されていて、複数のブロックからなり、各ブロックを仕切るくびれが形成されていることを特徴とする。
【０００７】
上記構成によれば、複数のブロックをくびれで分割することができ、親しい友人や家族との間で親愛の証として互いにシェアすることができる。このとき分割したブロックは唯一無二の組み合わせとなるため、親しい友人や家族との間で親愛の証として互いにシェアすることにより、特別のものを持ち合わせているという実感を高めることができる。
【０００８】
複数のブロックごとに完結した模様または絵柄が形成されていてもよい。これにより、分割後に個々のブロックを持ち歩く際にも違和感をなくすことができる。
【０００９】
複数のブロックごとにヒートンが取り付けられていてもよい。これにより、分割後に個々のブロックを持ち歩く際に、キーホルダーにしたり紐をつけたりすることができ、利便性を向上させることができる。
【発明の効果】
【００１０】
本発明によれば、２つ以上に分割することができ、親しい友人や家族との間で親愛の証として互いにシェアすることが可能な分割可能玩具を提供することができる。
【図面の簡単な説明】
【００１１】
【図１】本実施形態にかかる分割可能玩具を説明する図である。
【図２】分割可能玩具をブロック単位でちぎったときの様子を示す図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示または説明を省略する。
【００１３】
図１は本実施形態にかかる分割可能玩具１００を説明する図である。図１に示す分割可能玩具１００は、２つのブロック１０２，１０４が発泡樹脂で一体成形されている。ブロック１０２，１０４の間には、各ブロックを仕切るくびれ１０６が形成されていて、全体的な形状としては串だんごに似ている。材料の発泡樹脂としては特に限定するものではないが、例えば発泡ポリウレタンを好適に使用することができる。
【００１４】
この分割可能玩具１００は、発泡樹脂であるからどの位置であっても力を入れればちぎることができるが、くびれ１０６が形成されていることにより、ブロック１０２，１０４の単位で意図的にちぎることができる。面ファスナーや磁石を用いた玩具と異なり、ちぎったブロック１０２，１０４は元通りに接合することはできない。
【００１５】
図２は分割可能玩具１００をブロック１０２，１０４単位でちぎったときの様子を示す図である。割裂面１０２ａ，１０４ａはオスメスが対称の形状となる。これらの割裂面１０２ａ，１０４ａは不規則になるから、同じ製品であっても他の分割可能玩具１００においてちぎった場合には同じ割裂面にはならない。すると、あたかも割り符のように、分割したブロック１０２，１０４は唯一無二の組み合わせとなる。したがって、親しい友人や家族との間で親愛の証として互いにシェアすることにより、特別のものを持ち合わせているという実感を高めることができる。
【００１６】
２つのブロック１０２，１０４には、ブロックごとに完結した模様または絵柄が形成されている。これにより、分割後に個々のブロックを持ち歩く際にも違和感をなくすことができる。模様や絵柄は、立体的な造形であってもよいし、平坦なプリントであってもよい。
【００１７】
また２つのブロック１０２，１０４には、ブロックごとにヒートン１０８が取り付けられている。これにより、分割後に個々のブロック１０２，１０４を持ち歩く際に、キーホルダーにしたり紐をつけたりすることができ、利便性を向上させることができる。
【００１８】
上記説明において、分割可能玩具１００はブロックが２連の例を挙げて説明した。しかし本発明はこれに限定するものではなく、３連ないしさらに複数のブロックを連ねた構成としてもよい。また上記説明において複数のブロックは一列に連結した例を示したが、縦横のマトリクス状に連ねていてもよい。
【００１９】
また模様や絵柄について、図１や図２では顔を例示しているが、本発明はこれに限定するものではない。たとえばみかんやりんごなどの果物でもよいし、幾何学模様でもよいし、文字列や幾何学模様であってもよい。
【００２０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２１】
本発明は発泡樹脂製の玩具に関し、特にブロックごとに分割することが可能な分割可能玩具として利用することができる。
【符号の説明】
【００２２】
１００…分割可能玩具、１０２…ブロック、１０２ａ…割裂面、１０４…ブロック、１０４ａ…割裂面、１０６…くびれ、１０８…ヒートン
【図１】
2020103525.tif 000003
【図２】
2020103525.tif 000004